(57)【要約】    【課題】陽電極先端部の溶融、蒸発を防ぐと共に、陽電極の折れ曲がり等の変形を防止する。    【解決手段】アーク放電により発生する高温、高速ガス流を、ガス流入孔１２から陽電極の空洞１０に吸入することにより、ほぼ均一の温度に熱された陽電極２の内壁から熱エネルギーを陽電極２の外部に放出する。陽電極２の空洞を利用して熱伝導を行っているため、熱エネルギーを陽電極２の先端部だけに集中させることなく、陽電極２全体で効果的に分散させることが可能となる。【選択図】図１
2006221934.tif 000002
【特許請求の範囲】
【請求項１】
高融点金属で構成される放電ランプ用陽電極であって、
前記陽電極の内部に、空洞を設け、
前記陽電極の先端部に、アーク放電時に発生するガスを前記空洞内に流入させるためのガス流入孔を設けた、
ことを特徴とする放電ランプ用陽電極。
【請求項２】
請求項１の放電ランプ用陽電極において、
前記ガス流入孔の幅を、前記陽電極の内部に設けた空洞の幅よりも狭くした、
ことを特徴とする放電ランプ用陽電極。
【請求項３】
請求項１または請求項２の放電ランプ用陽電極において、
前記ガス流入孔および前記空洞を、前記ガス流入孔から流入させたガスによって陽電極の空洞において対流が生じるような形状とした、
ことを特徴とする放電ランプ用陽電極。
【請求項４】
請求項１〜請求項３の何れかの放電ランプ用陽電極において、
前記陽電極の側面部における肉厚を略同じにすることにより、陽電極の内部に前記空洞を設けた、
ことを特徴とする放電ランプ用陽電極。
【請求項５】
請求項１〜請求項４の何れかの放電ランプ用陽電極において、
前記陽電極の内部に設ける空洞を、前記ガス流入孔から流入したガスが有する熱を内壁から外壁へ伝導して、外壁から熱を放出できるような形状にした、
ことを特徴とする放電ランプ用陽電極。
【請求項６】
請求項１〜請求項５の何れかの放電ランプ用陽電極において、
前記ガス流入孔を、テーパ状にした、
ことを特徴とする放電ランプ用陽電極。
【請求項７】
請求項１〜請求項６の何れかの放電ランプ用陽電極において、
前記陽電極に圧力調整孔を設けた、
ことを特徴とする放電ランプ用陽電極。
【請求項８】
請求項７の放電ランプ用陽電極において、
前記圧力調整孔を前記陽電極の後端部に設けた、
ことを特徴とする放電ランプ用陽電極。
【請求項９】
請求項１〜請求項８の何れかの放電ランプ用陽電極を備えた放電ランプ。
【請求項１０】
高融点金属で構成される放電ランプ用陽電極の製造方法であって、
前記陽電極を、内部に空洞を設けた器部分と、蓋部分とにより形成し、
前記陽電極の器部分に、アーク放電時に発生するガスを前記空洞内に流入させるためのガス流入孔を設け、
前記陽電極の器部分と蓋部分とを接合した、
ことを特徴とする放電ランプ用陽電極の製造方法。
【発明の詳細な説明】
【技術分野】
【０００１】
本発明は、放電ランプに用いられる陽電極に関する技術であり、特に、ランプ性能の劣化を防止する技術に関する。
【背景技術】
【０００２】
まず、図５を用いて、従来から用いられている放電ランプの一種であるショートアーク放電ランプ（直流型）の基本的な構造について説明する。
【０００３】
図５に示すように、ショートアーク放電ランプ１００は、陰電極１０２と陽電極１０４が発光管１０６の両端部に取り付けられた構造となっている。アーク放電時には、発光部１０８（陰電極１０２および陽電極１０４の隙間）にアーク柱が形成され、その点灯光が多くの用途に利用されている。
【０００４】
しかし、アーク放電中、陽電極１０４の先端部には、常に超高温ガス（アーク柱により発生するガス）が衝突する。これにより、陽電極１０４の先端部は、３千度以上に加熱される場合がある。その際、陽電極から蒸発したタングステン微粒子が発光管内壁に付着したり、陽電極表面において再結晶化するため、ランプ性能を劣化してランプ寿命を短命にする要因となっている。ショートアーク放電ランプの場合、特に、かかる問題が顕著に生じている。
【０００５】
このため、陽電極１０４先端部に集中する熱エネルギーを効果的に逃がす方法が社会的に要請されている。さらに、陽電極１０４は比較的に重量が重いため、運搬時などにおいて陽電極１０４が折れ曲がってしまうという問題もあった。
【０００６】
これに対し、陽電極表面の粗目化処理などにより陽電極表面積を拡大し、陽電極からの輻射効率を増大させたもの（特許文献１を参照）が存在する。また、高温下における陽電極の再結晶化を防止するために、タングステン陽電極に高融点酸化物を適量含有させたもの（特許文献２を参照）も存在する。
【０００７】
【特許文献１】特開２００３−２２３８６５号公報
【０００８】
【特許文献２】特開２００２−５６８０７号公報
【発明の開示】
【発明が解決しようとする課題】
【０００９】
しかしながら、特許文献１の技術は、陽電極に設けた溝部により表面積が増した分だけしか熱を逃がすことできず、陽電極の寿命を十分に延ばすことができなかった。さらに、陽電極の重量はあまり変わらないため、折れ曲がり等の問題も解消できなかった。特許文献２の技術によっても、陽電極の先端部に熱エネルギーが集中することは何ら変わることはなく、十分に陽電極の寿命を延ばすことはできず、また、折れ曲がり等の問題も解消できなかった。
【００１０】
本発明の空洞型陽電極を用いた放電ランプは、アーク放電時に発生する高温、高速ガス流によって陽電極先端部に集まる熱エネルギーを、陽電極全体で効率的に分散して放熱効果を高めることを目的とする。
【課題を解決するための手段】
【００１１】
（１）この発明の放電ランプ用陽電極は、
高融点金属で構成される放電ランプ用陽電極であって、
前記陽電極の内部に、空洞を設け、
前記陽電極の先端部に、アーク放電時に発生するガスを前記空洞内に流入させるためのガス流入孔を設けた、
ことを特徴とする。
【００１２】
これにより、陽電極の先端部に集中する熱エネルギーを効果的に分散させることが可能となる。このため、陽電極先端部の損傷を防止して陽電極の寿命を長くすることができる。
【００１３】
（２）この発明の放電ランプ用陽電極は、
前記ガス流入孔の幅を、前記陽電極の内部に設けた空洞の幅よりも狭くした、
ことを特徴とする。
【００１４】
これにより、陽電極の内部に設けた空洞において、ガス流入孔から流入したガスによる対流を生じさせることができる。
【００１５】
（３）この発明の放電ランプ用陽電極は、
前記ガス流入孔および前記空洞を、前記ガス流入孔から流入させたガスによって陽電極の空洞において対流が生じるような形状とした、
ことを特徴とする。
【００１６】
これにより、陽電極の内部に設けた空洞内の対流を利用して、熱エネルギーを陽電極全体から外部に効果的に分散させることが可能となる。
【００１７】
（４）この発明の放電ランプ用陽電極は、
前記陽電極の側面部における肉厚を略同じにすることにより、陽電極の内部に前記空洞を設けた、
ことを特徴とする。
【００１８】
これにより、陽電極の内部から熱エネルギーを効果的に分散させることが可能となる。
【００１９】
（５）この発明の放電ランプ用陽電極は、
前記陽電極の内部に設ける空洞を、前記ガス流入孔から流入したガスが有する熱を内壁から外壁へ伝導して、外壁から熱を放出できるような形状にした、
ことを特徴とする。
【００２０】
これにより、陽電極の内壁から外壁へ熱を伝導し、陽電極の外壁から熱を放出させることが可能となり、陽電極の内部から熱エネルギーを効果的に分散させることができる。
【００２１】
（６）この発明の放電ランプ用陽電極は、
前記ガス流入孔を、テーパ状にした、
ことを特徴とする。
【００２２】
これにより、アーク放電時に発生するガスを、より効果的に空洞内に案内することが可能となる。
【００２３】
（７）この発明の放電ランプ用陽電極は、
前記陽電極に圧力調整孔を設けた、
ことを特徴とする。
【００２４】
これにより、陽電極の空洞内が必要以上に高圧とならないように圧力を調節することが可能となる。このため、アーク放電時に発生するガスを、円滑に空洞内に流入させることができる。
【００２５】
（８）この発明の放電ランプ用陽電極は、
前記圧力調整孔を前記陽電極の後端部に設けた、
ことを特徴とする。
【００２６】
これにより、より効果的に空洞内の圧力を調節することが可能となる。このため、アーク放電時に発生するガスを、より円滑に空洞内に流入させると共に、内壁に沿った対流を発生させることができる。
【００２７】
（１０）この発明の放電ランプ用陽電極の製造方法は、
前記陽電極を、内部に空洞を設けた器部分と、蓋部分とにより形成し、
前記陽電極の器部分に、アーク放電時に発生するガスを前記空洞内に流入させるためのガス流入孔を設け、
前記陽電極の器部分と蓋部分とを接合した、
ことを特徴とする。
【００２８】
これにより、陽電極先端部の溶融、蒸発を防ぐと共に、陽電極の折れ曲がり等の変形を防止する放電ランプ用陽電極を提供することができる。
【発明を実施するための最良の形態】
【００２９】
１．放電ランプ用陽電極２の構造（図１）
図１に、本発明の放電ランプ用陽電極２の構造を示す。図１Ａは、放電ランプ用陽電極２の構造を示す断面図である。図１Ｂおよび図１Ｃは、それぞれ図１Ａに示す放電ランプ用陽電極２のα−矢視図、β−矢視図である。
【００３０】
図１Ａに示すように、本発明の放電ランプ用陽電極２は、高融点金属であるタングステンで構成され、これを支持する導電性の陽電極支持部４に接合されている。なお、陽電極２に用いるタングステンの純度は、９９．９％以上としている。
【００３１】
陽電極２は、図１に示すように、器部分６と蓋部分８とで構成されており、側面部Ｐ２における肉厚を略同じに成形することで、内部に空洞１０を設けるようにしている。なお、この実施形態では、陽電極２の外径を３６［mm］、内径を２４［mm］とし、全長を８０[mm]としている。
【００３２】
陽電極２の先端部Ｐ１は、図１Ａに示すように、半円状に形成されており、その頂部には、アーク放電時に発生するガスを前記空洞内に流入させるためのガス流入孔１２が設けられている。このガス流入孔１２の径Ｗ１は、図１Ａ、Ｃに示すように、陽電極２の内部に設けた空洞の径Ｗ２よりも狭く成形されている。このようにガス流入孔１２と空洞１０を形成することで、後述するように、ガス流入孔１２から流入させたガスによって前記陽電極２の空洞１０に沿った対流が生じると考えられる。なお、この実施形態では、ガス流入孔１２の直径を６[mm]としている。
【００３３】
なお、陽電極２の先端部Ｐ１における肉厚ｔ２は、図１に示すように、陽電極２の側面部Ｐ２における肉厚ｔ１よりも厚くなるようにしている。これは、熱エネルギーが陽電極２の先端部Ｐ１から側面部Ｐ２に直接伝達されて側面部Ｐ２が必要以上に高温状態となるのを緩和するためである。つまり、陽電極２の先端部Ｐ１および側面部Ｐ２の肉厚を変更することにより、アーク放電時における陽電極２の温度を調節することができる。
【００３４】
また、図１Ａに示すように、陽電極２の後端部Ｐ３に位置する蓋部分８には、複数の圧力調整孔１４が設けられている。これらの圧力調整孔１４は、図１Ｂに示すように、陽電極支持部４を中心とする同心円状上に均等に配置して設けられている。なお、この実施形態では、圧力調整孔１４の直径を４[mm]としている。
【００３５】
図１に示す陽電極２の器部分６および蓋部分８は、タングステン鋼棒をそれぞれ所定の厚みに切り出すことにより成形され、陽電極２の空洞１０は切り出した鋼片を切削することにより設けられる。陽電極支持部４も同様に、タングステン鋼棒を所定の長さに切り出して成形される。また、図１Ａに示す陽電極２の器部分６と蓋部分８の間、陽電極２の蓋部分８と陽電極支持部４の間は、溶接（例えば、ＴＩＧ溶接）により接合される。さらに、ガス流入孔１２や圧力調整孔１４は、ドリルで切削することにより所定の径に成形される。
【００３６】
２．放電ランプ用陽電極２における伝熱の仕組み
図１に示す放電ランプ用陽電極２による伝熱の仕組みについて、図２および図３を用いて、以下に説明する。図２は、アーク放電時の陽電極２の空洞内外におけるガスの移動を示す図である。図３は、アーク放電時における陽電極２を介した熱の移動を示す図である。
【００３７】
アーク放電が始まると、まず、図２に示されるように、陰電極３から陽電極２の先端部に向けてアーク柱と共に高温、高速ガス流が発生する（図２のflow１）。この高温、高速ガス流flow１は、ガス流入孔１２から陽電極２の空洞内に流入する（図２のflow２）。さらに、空洞内の高温ガスflow２は、空洞内壁に沿って対流（図２のflow３）を発生させると考えられるので、かかる対流による空洞内壁への伝熱促進が期待できる。つまり、空洞内に対流した高温ガスflow３により、陽電極２の内壁に熱が伝達される（図３のheat１）。なお、陽電極２の空洞内に流入したガスによって空洞内の圧力が必要以上に高圧とならないように、圧力調整孔１４からガスを流出させている（図２のflow４）。
【００３８】
さらに、高温ガスから陽電極２の内壁へ伝達された熱エネルギーheat１は、図３に示すように、陽電極材（タングステン）を介した熱伝導により外壁へと伝熱されることになる（図３のheat２）。
【００３９】
その後、図３に示すように、陽電極２の外壁表面からの熱放射heat３と、陽電極２外部のガス対流による熱伝達heat４とによって、熱エネルギーが放出される。
【００４０】
後述するように、熱放射量は表面温度の4乗に比例するため、図３に示す陽電極２の外壁表面からの熱放射（輻射）heat３は、陽電極２の外壁表面温度Ｔoutが高温になるほど増大することになる。
【００４１】
一方、図３に示す周辺ガスを介した熱移動heat４は、陽電極２の外壁表面温度Ｔoutが上昇することによりその周辺ガスとの間に生じる温度差に起因して発生する対流flow５（図２）を介して行われる。つまり、陽電極外壁表面の温度Ｔout（図３）が高くなるほど、陽電極周辺とのガスの温度差が大きくなり、熱エネルギーを持ったガスの対流flow５が促進されるため、熱伝達の効率が上昇することになる。なお、この熱移動heat４には、陽電極２の周辺ガスを介した熱伝導によって移動する熱エネルギーも含まれる。
【００４２】
このように、本発明では、陽電極２の空洞を利用した熱伝導（heat１〜４）を行っているため、熱エネルギーを、陽電極２の先端部だけに集中させることなく、陽電極２全体で効果的に分散させることが可能となる。
【００４３】
これにより、陽電極先端部Ｐ１（図１）の損傷を防止して陽電極の寿命を長くすること等が可能となる。さらに、陽電極２の内部に空洞を設けたことで陽電極２の軽量化が図られるため、陽電極の折れ曲がりを防止したり、組み立て作業を容易に行えるという効果も存在する。
【００４４】
４．熱の各移動段階（heat１〜４）についての説明
つぎに、図３に示す熱量の各移動段階（heat１〜４）について、ショートアーク放電ランプ（出力３５ｋＷ）を用いた場合を例に説明する。
【００４５】
（１）「空洞電極内部の高温ガスによる熱伝導（heat１）」
図２に示すように、アーク放電が始まるとプラズマを含む高温、高速ガスflow１が発生する。さらに、この高温、高速ガスが陽電極２の空洞内に流入し（flow２）、空洞内壁に沿った対流flow３が発生する。つまり、図２のflow３に示すように、陽電極２の空洞内に流入したガスflow２は、ガス流入孔１２から上昇して蓋部にぶつかった後、側面部の内壁に沿って下降してくると考えられる。
【００４６】
これにより、陽電極２の空洞内が温度Tcu（例えば、2000〜3000°K）の高温ガス流体でほぼ均一に満たされる。このため、陽電極２の内壁に熱エネルギー（図３のheat１）が伝達され、陽電極２の内壁が温度Ｔin（図３）にほぼ一様に熱せられる。
【００４７】
なお、陽電極２の内壁への伝熱量Qinは、Qin＝α（Tcu−Tin）Sinで表される。ここで、αは伝熱係数、Tinは空洞内壁の温度、Tcuは高温ガス流体の温度、Sinは空洞内壁の面積である。また、伝熱係数αは、流体の状態、流体の物性値、内壁表面の状態、内壁の形状、内壁の物性値などに依存する係数である。
【００４８】
（２）「電極材質を介した熱伝導（heat２）」
図３に示すように、空洞内壁に伝達された熱エネルギー（heat１）は、さらに陽電極材を介した熱拡散（heat２）によって伝熱される。円筒の径方向に流れる熱量Ｑは、円筒の熱抵抗をRHとし、空洞内壁の温度をＴin、空洞外壁の温度をＴoutとすると、
【数１】
2006221934.tif 000003
で表される。
【００４９】
さらに、熱抵抗RHは、円筒の内半径をrin、外半径をrout、円筒部分の長さをLとし（図３を参照）、陽電極材（タングステン）の熱伝導率をλすると、近似的にはＬ≫ rin , routとして、
【数２】
2006221934.tif 000004
で表される。
【００５０】
例えば、rout = 18 [mm], rin = 12 [mm], L = 80 [mm]であり、タングステン温度が1000Ｋ以上の場合に、λ≒ 100 [W/mK]としてRHを求めると、上記式（２）より、RH= 8.0×10‐3  [K/W]  が得られることになる。
【００５１】
ここで、例えば、電源から供給される全エネルギー35ｋｗの約60％が熱エネルギーとして陽電極の空洞内に運ばれたと仮定すると、定常状態ではQ≒21 [kJ/s]の熱流が空洞内に流入することになる。さらに、この陽電極の空洞内に運ばれた熱エネルギーの約60％の13[kJ/s]が電極径方向に伝達されると仮定すると、RH×Q≒100 [K]となるので、陽電極の外壁温度Toutは、図３に示す陽電極空洞の内壁温度TinをTin=3000 [K]とすると、上記式（１）より、Tout=Tin−RHQ≒2900[K]となる。
【００５２】
また、陽電極２の空洞に流入した熱エネルギーのうち、径方向に伝達される以外の熱エネルギー（上記仮定では、空洞内に流入する熱流によるエネルギーの40％である8[kJ/s]）は、蓋部１０や陽電極２の先端部Ｐ１の内壁に伝達される。
【００５３】
このように、陽電極２の空洞に流入した熱エネルギーは、陽電極材を介して陽電極２の内壁から外壁へ分散して伝達されることになる。
【００５４】
（３）「空洞型陽電極表面からの熱放射（heat３）」
図３に示す陽電極２の外壁からの熱放射（heat３）は、外壁表面温度Toutの上昇と共に、Toutの４乗に比例して増大する。例えば、陽電極２の側面部（面積Ｓ）からの熱放射量Qradは、次式で与えられる。
【００５５】
【数３】
2006221934.tif 000005
【００５６】
ここで、5.67・10-8はステファン−ボルツマン定数である。また、垂直指向射出率εnは、物質表面における熱（光）放射の垂直方向に射出する割合を示す各物質に固有の値であり、物質の温度や形状にも依存する。例えば、タングステンWの場合、垂直指向射出率εnの値は、Tout＝2000Kのときεn＝0.2、Tout＝2500Kのときεn＝0.25、Tout＝3000Kのときεn＝0.3となる。
【００５７】
また、陽電極２の側面における面積Ｓは、rout=18 [mm], L=80 [mm]の場合、S=2πrout×Ｌ=9.05×10‐3  [ｍ2]  となり、上記式（３）より、タングステンで構成した陽電極２の側面部からの熱放射量Qradは、それぞれ、  Tout=2000Kのとき、Qrad=1.64 [kW]、Tout=2500Kのとき、Qrad=5.00 [kW]、Tout=3000Kのとき、Qrad=12.4 [kW]、となる。
【００５８】
このように、熱放射heat３を利用して、陽電極２の外壁から効率的に熱エネルギーを放出することができる。
【００５９】
（４）「陽電極２の表面から周辺ガスによって伝達される熱（heat４）」
陽電極２の外壁表面からの伝熱は、図３に示す熱放射（heat３）だけでなく、陽電極２の外部周辺にあるガスの熱伝導やガス対流による熱の輸送（heat４）が加わり、熱の移動がより促進される。これは、陽電極２の外壁表面温度Ｔoutが高いと周辺ガスとの温度差が大きくなり、周辺ガス（図２のflow5）の対流が発生するためである。なお、図２に示すように、周辺ガスflow5は、アーク放電時に発生した高温、高速ガスの影響を受けるため、斜め上方に移動することになる。
【００６０】
陽電極２の周辺で対流するガスflow5による熱流ｑ[kJ/s]は、q=h(Tout-Tgas)で表される。ここで、熱伝達率ｈは、ガス流速、電極形状などに依存する値であり、Tgasは、陽電極２の外壁表面から所定距離だけ離れた位置のガス温度である。
【００６１】
このように、陽電極２の外壁表面温度Toutを全体的に上昇させることで、周辺の対流ガス（図２のflow5）を利用した熱放出heat４によっても、効率的に熱エネルギーを放出することができる。
【００６２】
５．その他の実施形態（図４）
なお、上記実施形態においては、ガス流入孔１２（図１）を同径の孔に成形したが、図４Ａに示すように、ガス流入孔１２’をテーパ状にしてもよい。図４は、他の実施形態における放電ランプ用陽電極２の構造を示す図である。これにより、アーク放電時に発生するガスを、より効果的に空洞内に案内することが可能となる。なお、図４Ａに示すガス流入孔１２’は、陽電極２の内壁から外壁に向かって径が広がるようなテーパとしたが、逆に、陽電極２の内壁から外壁に向かって径が狭まるようなテーパとしてもよい。
【００６３】
なお、上記実施形態においては、圧力調整孔１４（図１）を陽電極２の後端部Ｐ３に位置する蓋部６に設けるようにしたが、他の部分に設けるようにしてもよい。例えば、図４Ｂに示すように、圧力調整孔１４’を、陽電極２の側面部Ｐ２に設けるようにしてもよい。
【００６４】
さらに、上記実施形態では、圧力調整孔１４（図１）を複数設けるようにしたが、圧力調整孔１４を１つだけ設けるようにしてもよい。また、アーク放電時に発生するガスを空洞内に案内することができるのであれば、圧力調整孔１４を設けなくてもよい。
【００６５】
なお、上記実施形態においては、各部材の接合を溶接（ＴＩＧ溶接）により行っているが、高温下の使用に耐えられる方法であれば、ロウ付け、焼き嵌め、叩き込みなど他の方法を用いても接合してもよい。
【００６６】
なお、上記実施形態においては、陽電極２の空洞１０を鋼材を切削することにより成形しているが、鋳造により成形するようにしてもよい。
【００６７】
また、上記実施形態においては、陽電極２の蓋部８と陽電極支持部４を別々に成形して接合するようにしているが、これらを鋳造により一体的に成形するようにしてもよい。
【００６８】
なお、上記実施形態においては、陽電極２本体や陽電極支持部４の材質としてタングステン用いているが、モリブデン、タンタル、ニオブ、レニウム、オスミウム、イリジウム、ルテニウム、ハフニウム、およびこれらの合金などの他の高融点金属を用いてもよい。
【００６９】
なお、上記実施形態においては、図１Ａに示すように、陽電極２の先端部Ｐ１を半円状に形成したが、例えば、尖形に形成したり、平面や台形状に形成する等、他の形状に形成してもよい。
【００７０】
なお、上記実施形態においては、図１に示すように、陽電極２の輪郭およびその内部に設ける空洞を何れも円柱形状としたが、かかる形状に限定されるものではなく、陽電極２の輪郭およびその内部に設ける空洞の形状は、それぞれ、ガス流入孔１２から流入したガスが有する熱を内壁から外壁へ伝導して、外壁から熱を放出できるような形状であればよい。
【００７１】
例えば、陽電極２の輪郭を三角錐の形状とし、その内部に円柱形状の空洞を設けてもよく、逆に、陽電極２の輪郭を円柱形状とし、その内部に三角錐の形状をした空洞を設けてもよい。
【００７２】
なお、上記実施形態においては、ショートアーク放電ランプに用いる陽電極について説明したが、ロングアーク放電ランプなどの他の放電ランプに本発明の陽電極を適用してもよい。
【図面の簡単な説明】
【００７３】
【図１】本発明の放電ランプ用陽電極２の構造を示す図である。
【図２】アーク放電時の陽電極２の空洞内外におけるガスの移動を示す図である。
【図３】アーク放電時の陽電極を介した熱の移動を示す図である。
【図４】他の実施形態における放電ランプ用陽電極２の構造を示す図である。
【図５】従来のショートアーク放電ランプ（直流型）の基本的構造を示す図である。
【符号の説明】
【００７４】
２・・・・陽電極
３・・・・陰電極
４・・・・陽電極支持部
６・・・・器部分（陽電極）
８・・・・蓋部分（陽電極）
１０・・・・空洞
１２・・・・ガス流入孔
１４・・・・圧力調整孔
Ｐ１・・・・先端部（陽電極）
Ｐ２・・・・側面部（陽電極）
Ｐ３・・・・後端部（陽電極）
【図１】
2006221934.tif 000006
【図２】
2006221934.tif 000007
【図３】
2006221934.tif 000008
【図４】
2006221934.tif 000009
【図５】
2006221934.tif 000010